(57)【要約】【課題】スプーンなどの補助具付きカップ状容器であって容易に成形できるものを提供する。【解決手段】容器体周壁３の上端部に付設した外向きフランジ４から、破断線１２を介して水平に突出した内容物取出し用の補助具１１を設け、上記容器本体１と補助具１１との各上面へ覆合板２１を剥離可能に貼着させた。【選択図】図１
2004331086.tif 000002
【特許請求の範囲】
【請求項１】
周壁３の上端部に外向きフランジ４を付設した容器本体１と、
上記外向きフランジ４外縁部から、破断線１２を介して容器本体１からの分離可能に水平に突出した、内容物取出し用の柄付きの補助具１１と、
上記容器本体１と補助具１１との各上面へ、剥離可能に貼着された補強材兼用の覆合板２１と、を具備することを特徴とする、カップ状容器。
【請求項２】
少なくとも上記覆合板２１上面の外周部分からカップ状容器下面部分を覆合させて保護フィルム３１を貼着したことを特徴とする、請求項１記載のカップ状容器。
【請求項３】
上記補助具１１の柄形成部分へ、上面凹状かつ裏面凸状乃至上面凸状かつ裏面凹状の補強用溝状部１５を柄長手方向に沿って形成したことを特徴とする、請求項１又は請求項２記載のカップ状容器。
【発明の詳細な説明】
【０００１】
【発明の利用分野】
本発明は、内容物取出し用補助具を付設したカップ状容器に関する。
【０００２】
【従来の技術】
例えば食品収納容器において、カップ付き容器の蓋体裏面にスプーンなどの食品取出し用補助具を着脱自在にとりつけることが広く行なわれている（例えば特許文献１及び特許文献２）。
【０００３】
【特許文献１】
特開平６−２５５６６５
【特許文献２】
特開平８−１８３５５６
【０００４】
【発明の解決しようとする課題】
従来容器では上記補助具を独立の部品として形成しているために成形コストが増大するとともに、組込みの手数もかかる。
【０００５】
そこで本発明は、容器本体の外向きフランジ外縁部から、破断線を介して容器本体からの分離可能に内容物取出し用の補助具を水平に突出するとともに、容器本体と補助具との各上面へ補強材を兼ねる覆合板を剥離可能に貼着させることで、成形容易で使い勝手の良いカップ状容器を提供することを目的とする。
【０００６】
【課題を解決するための手段】
第１の手段は、周壁３の上端部に外向きフランジ４を付設した容器本体１と、
上記外向きフランジ４外縁部から、破断線１２を介して容器本体１からの分離可能に水平に突出した、内容物取出し用の柄付きの補助具１１と、
上記容器本体１と補助具１１との各上面へ、剥離可能に貼着された補強材兼用の覆合板２１と、を具備している。
【０００７】
第２の手段は、上記第１の手段を有し、かつ少なくとも上記覆合板２１上面の外周部分からカップ状容器下面部分を覆合させて保護フィルム３１を貼着している。
【０００８】
第３の手段は、上記第１の手段又は第２の手段を有し、かつ上記補助具１１の柄形成部分へ、上面凹状かつ裏面凸状乃至上面凸状かつ裏面凹状の補強用溝状部１５を柄長手方向に沿って形成している。
【０００９】
【発明の実施の形態】
本発明のカップ状容器は、容器本体１と、内容物取出し用の柄付きの補助具１１と、覆合板２１と、保護フィルム３１とで構成されている。
【００１０】
容器本体１は、底壁２周縁から上部大径のテーパ状に起立する周壁３の上端部に、外向きフランジ４を付設している。又、周壁３上端面と外向きフランジ４上面との間には、後述覆合板への接着用のリブ５が周設されている。更に上記外向きフランジ４は、図１に示す如くその左右両端部の前後両側を側外方に角形に張り出すことで、外向きフランジの左右側縁部４ａ，４ｂを前後方向巾広に形成している。
【００１１】
内容物取出し用の柄付き補助具１１は、容器本体１と一体に成形したものであり、該容器本体の外向きフランジの左右両側縁部４ａ，４ｂから破断線１２を介して分離可能に側外方へ突出した水平板部を、フォーク、スプーンなどに付形して形成する。図示例において、この補助具１１は、上記外向きフランジ４に破断線１２を介して連結された柄形成部分１３と、該柄形成部分の先端に付設されたヘッド形成部１４とで形成され、該ヘッド形成部を、スプーンの掬い部やフォークの刺し歯部に形成している。尚、上記破断線１２は、複数の連結片或いは肉薄線で形成する。尚、内容物取出し用補助具とは、内容物の取出しに先立って内容物を切り分けるためのナイフなどを含み、又、食品以外の物品取出しに使用するヘラなどを含むものとする。
【００１２】
図示例において、上記補助具１１の柄形成部分１３は、その上面外縁部分を後述覆合板の貼着代１３ａとして残して、外周部分を除く柄形成部分に、上面凹状で下面凸状の補強用溝状部１５を柄長手方向に形成している。又フォーク形の補助具１１の刺し歯部には、その外縁部分を除いて上面凸状で下面凹状の補強用溝状部１６を設けている。もっとも、柄形成部分に上面凸状で下面凹状の溝状部を、又、上記刺し歯部に、上面凹状で下面凸状の溝状部を形成しても良い。
【００１３】
上記容器本体１は、合成樹脂材料で成形することができ、例えばインジェクション成形又は真空成形で形成することができる。
【００１４】
覆合板２１は、上記破断線１２を保護することが可能な程度の剛性を有する材料で、容器本体１上面に対応した形状に形成され、容器本体周壁３の上面及び補助具１１上面を覆うように、容器本体周壁３上端側のリブ５、外向きフランジ４上面及び補助具１１上面に対して剥離可能に貼着させている。貼着の方法としては、例えば覆合板の下面に接着層を設け、該接着層を介して接着すれば良い。覆合板２１の外縁部には、剥離操作用の摘み片２２を付設している。又、覆合板２１は、２種類の合成樹脂同士の積層構造、或いは合成樹脂と異材質との積層構造として形成することができる。
【００１５】
保護フィルム３１は、図２に示す如く、リブ内方の覆合板２１部分から、補助具１１の左右外端部及び外向きフランジ４前後両端部で折り返して容器体周壁３外面上部へ貼着させ、上記補助具１１の下面を覆合させている。保護フィルムは、シュリンクフィルムとすることができる。尚、容器本体１全体を保護フィルムで包装することもできる。
【００１６】
容器本体１、覆合板２１、及び保護フィルム３１はガスバリア性材料で形成することができる。
【００１７】
以上の構成において、覆合板２１は、破断線１２の不意の破断により補助具１１が容器本体１から脱落することを阻止しており、又、保護フィルム３１は、補助具１１の表面への埃などの付着を防いでいる。
【００１８】
次に保護フィルム３１を除去するとともに、容器本体１上面から覆合板２１を除去し、補助具１１を折り曲げると、破断線１２が破断する。そして補助具１１を用いて食品を取り出し、食べることが出来る。
【００１９】
【発明の効果】
本発明は上記構成のものであり、請求項１の発明は次の効果を奏する。
○容器本体１の外向きフランジ４から内容物取出し用の補助具１１を突出した構成としたから、該補助具を容器本体１と別体としてカップ状容器に組み込む作業が不要となり、廉価に製造できる。
○上記容器本体１と補助具１１との各上面へ、覆合板２１を剥離可能に貼着させたから、破断線１２の不意の破断により、補助具１１が容器本体１から脱落することを防止することができる。
【００２０】
請求項２の発明によれば、上記カップ状容器全外面を保護フィルム３１で覆合したから、補助具１１下面が汚損することを防止でき、衛生的である。
【００２１】
請求項３の発明によれば次の効果を奏する。
○補助具１１に、上面凹状かつ裏面凸状乃至上面凸状かつ裏面凹状の補強用溝状部１５を形成したから、食品等取出しの際の補助具の破損を防止できる。
○又、上記のような上面凸状かつ裏面凹状の溝状部１５を補助具１１の一部に設けたことで、該一部への覆合板２１の貼着を確実にすることができる。
【図面の簡単な説明】
【図１】本発明に係る容器の平面図である。
【図２】図１容器の縦断面図である。
【図３】図１容器から保護フィルムを除去した状態で該容器を図１のＡ−Ａ方向に見た図である。
【図４】図１容器から保護フィルムを除去した状態で該容器を図１のＢ−Ｂ方向に見た図である。
【図５】図１容器から内容物取出し用補助具を分離した状態を示す説明図である。
【符号の説明】
１…容器本体  ４…外向きフランジ  １１…内容物取出し用補助具
１５…凹状溝  ２１…覆合板  ３１…保護フィルム
【図１】
2004331086.tif 000003
【図２】
2004331086.tif 000004
【図３】
2004331086.tif 000005
【図４】
2004331086.tif 000006
【図５】
2004331086.tif 000007